(57)【要約】【課題】自動運転ができ、遠隔運用、保守が可能であり、かつ柔軟性、拡張性に富んだテロップ送出装置およびテロップ送出方法を提供すること。【解決手段】テロップ送出装置１０は、各種データのメールを自動的に受信、保存する手段、テロップ送出のスケジュールを管理する手段、保存されているレイアウト情報に基づいてテロップの画面データを生成してフレームバッファに転送する手段、外部入力映像信号とフレームバッファから出力されるテロップ映像信号とを合成して出力する手段とを備える。また、ニュースメールなどのテロップ情報に基づいてテロップの内容を制御する手段を備えてもよい。システムは自動運転機能を備え、遠隔地からネットワークを経由して運用、保守、機能の設定、更新等が可能である。【選択図】図２
2008085453.tif 000002
【特許請求の範囲】
【請求項１】
スケジュール情報あるいはレイアウト情報を含むメールを自動的に受信し、内容を解析して保存するデータ管理手段と、
保存されているスケジュール情報に基づいてテロップ送出のスケジュールを管理するスケジュール管理手段と、
前記スケジュール管理手段によって起動され、保存されている前記レイアウト情報に基づいてテロップ画面の画面スクリプトを生成してスクリプトエンジンに描画を指示する番組送出エージェント手段と、
前記画面スクリプトに基づいてテロップ画面データを生成するスクリプトエンジン手段と、
生成されたテロップ画面データをフレームバッファ手段に転送するデバイスドライバ手段と、
テロップ映像信号を生成するフレームバッファ手段と、
外部から入力される映像信号と前記フレームバッファ手段から出力されるテロップ映像信号とを合成して出力する映像信号合成手段と、
を備えたことを特徴とするテロップ送出装置。
【請求項２】
前記スケジュール管理手段は、テロップ番組の送出スケジュールを記載したスケジュールファイル、および番組内における各レイアウト情報と対応するテロップの送出スケジュールを記載した番組ファイルに基づいてテロップの送出スケジュールを管理することを特徴とする請求項１に記載のテロップ送出装置。
【請求項３】
更に、メールによって外部から受信したテロップ情報に基づき、テロップの内容を制御するテロップ内容制御手段を備えたことを特徴とする請求項１に記載のテロップ送出装置。
【請求項４】
前記番組送出エージェント手段は、レイアウト情報の変数部分に前記テロップ情報を代入して前記画面スクリプトを生成することを特徴とする請求項３に記載のテロップ送出装置。
【請求項５】
スケジュール情報あるいはレイアウト情報を含むメールを自動的に受信し、内容を解析して保存するステップ、
保存されているスケジュール情報に基づきテロップ送出時期を判定するステップ、
送出時期が到来したテロップについて、保存されているレイアウト情報に基づいてテロップ画面の画面スクリプトを生成してスクリプトエンジンに描画を指示するステップ、
画面スクリプトに基づいてテロップ画面データを生成するステップ、
生成されたテロップ画面データをフレームバッファに転送するステップ、
フレームバッファからテロップ映像信号を出力するステップ、
外部から入力される映像信号とフレームバッファから出力されるテロップ映像信号とを合成して出力するステップ
を含むことを特徴とするテロップ送出方法。
【発明の詳細な説明】
【技術分野】
【０００１】
本発明はテロップ送出装置およびテロップ送出方法に関するものであり、特に自動運転ができ、遠隔運用、保守が可能であり、かつ柔軟性、拡張性に富んだテロップ送出装置およびテロップ送出方法に関するものである。
【背景技術】
【０００２】
従来、テレビ放送局において、テロップ信号を生成して放送信号に合成するための装置が使用されていた。下記の特許文献１には、放送番組の映像画面に、テロップ文を簡便にスーパーインポーズすると共に、複数行で構成されたテロップ文の各文字列に対応した、最適な表示時間を自動的に得られるテレビ放送用テロップ装置が開示されている。
【０００３】
このシステムは、テロップデータ記憶手段１５の文字列データを読み出すディスク装置５４と、テロップ用文字パターンデータを記憶した文字パターン発生装置５８と、読み出された文字列データに対応した文字パターンデータを、文字パターン発生装置５８から順次転送し、テロップ文の画像データを生成すると共に、文字列データの文字数に対応して予め設定した時間制御データに基づいて、所定時間テロップ文の画像データを保持する画像メモリ装置５９と、画像メモリ装置５９の画像データをテレビ用映像信号に変換するビデオ装置６０とで構成されている。
【特許文献１】特開平０９−１３５３８６号公報
【発明の開示】
【発明が解決しようとする課題】
【０００４】
現在、店頭や職場等において、NTSC等の映像信号に電光ニュースのテロップを重畳する場合、ニュースシステムから送られてくる原稿データをパソコン等で解析し、電光ニュースデータをテロップとして映像信号に重畳するようテロップ合成システムに指示する必要がある。しかし、現状のテロップ合成システムは、電光ニュースを流すという目的からすると非常に高機能であり、複雑で使用しない機能も多数ある結果、高価格になっているという問題点があった。
【０００５】
また、テロップ合成システムは、多数の表現機能を処理することに加えて、突然の画面レイアウトや動きの変更等に対して信頼性を損なうことなく、迅速に対応できる操作性、拡張性や柔軟性が重要視される。しかし、従来のテロップ合成装置はシステムの操作性、拡張性、柔軟性に欠け、決められた機能やデザインを組み合わせるだけで、固定された表現しかできないという問題点があった。
本発明の目的は、前記したような従来技術の問題点を解決し、特に自動運転ができ、遠隔運用、保守が可能であり、かつ柔軟性、拡張性に富んだテロップ送出装置およびテロップ送出方法を提供することにある。
【課題を解決するための手段】
【０００６】
本発明のテロップ送出装置は、スケジュール情報あるいはレイアウト情報を含むメールを自動的に受信し、内容を解析して保存するデータ管理手段と、保存されているスケジュール情報に基づいてテロップ送出のスケジュールを管理するスケジュール管理手段と、前記スケジュール管理手段によって起動され、保存されている前記レイアウト情報に基づいてテロップ画面の画面スクリプトを生成してスクリプトエンジンに描画を指示する番組送出エージェント手段と、前記画面スクリプトに基づいてテロップ画面データを生成するスクリプトエンジン手段と、生成されたテロップ画面データをフレームバッファ手段に転送するデバイスドライバ手段と、テロップ映像信号を生成するフレームバッファ手段と、外部から入力される映像信号と前記フレームバッファ手段から出力されるテロップ映像信号とを合成して出力する映像信号合成手段と、を備えたことを主要な特徴とする。
【０００７】
また、前記したテロップ送出装置において、前記スケジュール管理手段は、テロップ番組の送出スケジュールを記載したスケジュールファイル、および番組内における各レイアウト情報と対応するテロップの送出スケジュールを記載した番組ファイルに基づいてテロップの送出スケジュールを管理する点にも特徴がある。
【０００８】
また、前記したテロップ送出装置において、更に、メールによって外部から受信したテロップ情報に基づき、テロップの内容を制御するテロップ内容制御手段を備えた点にも特徴がある。また、前記したテロップ送出装置において、前記番組送出エージェント手段は、レイアウト情報の変数部分に前記テロップ情報を代入して前記画面スクリプトを生成する点にも特徴がある。
【０００９】
本発明のテロップ送出方法は、スケジュール情報あるいはレイアウト情報を含むメールを自動的に受信し、内容を解析して保存するステップ、保存されているスケジュール情報に基づきテロップ送出時期を判定するステップ、送出時期が到来したテロップについて、保存されているレイアウト情報に基づいてテロップ画面の画面スクリプトを生成してスクリプトエンジンに描画を指示するステップ、画面スクリプトに基づいてテロップ画面データを生成するステップ、生成されたテロップ画面データをフレームバッファに転送するステップ、フレームバッファからテロップ映像信号を出力するステップ、外部から入力される映像信号とフレームバッファから出力されるテロップ映像信号とを合成して出力するステップを含むことを主要な特徴とする。
【発明の効果】
【００１０】
本発明のテロップ送出装置およびテロップ送出方法においては以下のような効果がある。
（１）システムは自動運転機能を備え、ニュースシステムから送られてくるニュースデータのメールを自動的に受け取り、映像信号にニュースをテロップとして重畳することができる。また、遠隔地からネットワークを経由して運用、保守、機能の設定、更新等が可能である。
【００１１】
（２）使用者は遠隔地に設置した本発明のテロップ送出装置にメールで各種データを送信するだけで、ＣＧ送出システムを構築／運用することができ、短期間でのシステム開発が可能である。
（３）テロップの画面レイアウトや動きは番組ファイルやレイアウトファイルで定義することができるので、急な変更にも即対応可能であり、データ内容による表示内容の変更や様々なエフェクト関数の呼び出しもでき、高い柔軟性が得られる。
【００１２】
（４）本発明のテロップ送出装置の全ての機能は外部オブジェクトとスクリプトで構成されており、インタープリタ言語を採用したことにより、プログラムの再コンパイルの必要がなく、プログラムを追加したり、変更したりできる。スクリプトはもちろん、外部オブジェクトも自作可能であり、コンピュータグラフィックス（ＣＧ）の特殊効果（エフェクト、トランジション）等について独自関数を作成して簡単に既存のシステムに追加することができ、高い拡張性が得られる。
【発明を実施するための最良の形態】
【００１３】
本発明によるテロップ送出装置は、電光ニュースシステムおよびテロップ合成システムの機能を合わせ持ったシステムであり、ワンボードマイコンと映像信号合成回路を小型ケースに一体化したハードウェアと、テロップ合成システムの制御ソフトウェアからなる安価に製作可能な電光ニュースシステムである。以下に、図面を参照して本発明の実施の形態を詳細に説明する。
【実施例１】
【００１４】
以下、本発明の第１実施例について説明する。図１は、本発明のテロップ送出装置の構成を示すブロック図である。テロップ送出装置は大きくＦＰＧＡおよびその制御回路からなる映像信号合成回路（図１の上部）およびワンボードマイコン部分（図１の下部）からなる。
【００１５】
映像信号合成回路は、ＮＴＳＣ映像入力信号をデコードしてＡ／Ｄ変換するＮＴＳＣデコーダ、Ａ／Ｄ変換器２５、入力映像信号とテロップ映像信号とを合成するＦＰＧＡ２０、合成された映像出力信号をＤ／Ａ変換し、ＮＴＳＣ映像信号にエンコードするＤ／Ａ変換、ＮＴＳＣエンコーダ２６および制御回路を備えているデコーダ２５はＹ、Ｃｒ、Ｃｂ信号および同期信号をそれぞれ別に出力し、それぞれＡ／Ｄ変換される。
【００１６】
ＦＰＧＡ２０は、ＦＩＦＯ２１、制御回路から入力されるＲＧＢのテロップ映像信号をＹＣｒＣｂ信号に変換するＲＧＢ→ＹＣｒＣｂ変換回路２２、制御回路から入力されるテロップ合成用のアルファデータに基づき、ＦＩＦＯ２１から出力されるＹＣｒＣｂ信号とＲＧＢ→ＹＣｒＣｂ変換回路２２から出力されるＹＣｒＣｂ信号とを公知の手法で合成するアルファブレンド演算回路２３、合成されたＹＣｒＣｂ信号と同期信号とを切替出力するデータスイッチ２４を備えている。
【００１７】
制御回路は、ＣＰＵ３０、制御プログラムを格納したＲＯＭ３１、ＲＡＭ３２、フレームバッファＦＩＦＯ３３、ビデオタイミングコントローラ３４、バスコントローラ３５、Ｉ２Ｃコントローラ３６を備えている。フレームバッファＦＩＦＯ３３は複数フレーム分のバッファ容量を備え、テロップ映像信号データが書き込まれ、ＮＴＳＣ映像入力信号と同期して読み出される。
【００１８】
ビデオタイミングコントローラ３４は、水平および垂直同期信号を読み込み、ＦＰＧＡ２０内の各回路の動作タイミングを制御する。具体的には、ピクセル単位の読み書きタイミングを生成し、フレームバッファＦＩＦＯ３３やＦＩＦＯ２１の読み込みタイミングやアルファブレンド演算回路２３の駆動タイミングに使用する。バスコントローラ３５はワンボードマイコン部のバスコントローラ４３と１００ＭＨｚ１６ｂｉｔバスで接続され、テロップ映像信号等の転送を行う。Ｉ２Ｃコントローラ３６は、公知のＩ２Ｃ仕様の信号によりＡ／Ｄ変換器２５、Ｄ／Ａ変換器２６、音声用のＤ／Ａ変換器４４のタイミング制御を実行する。
【００１９】
ワンボードマイコン部は、ＣＰＵ４０、公知のＯＳおよび本発明の機能を実行するプログラムが格納されたＲＯＭ４１、ＲＯＭ４１に格納されているプログラムが使用するデータを格納するＲＡＭ４２、バスコントローラ４３、テロップ音声信号出力用のＤ／Ａ変換器４４、ＧＰＩＯ（汎用並列入出力ポート）４５、フラッシュメモリコントローラ４７、ＬＡＮインターフェイス回路４９を備えている。
【００２０】
ＧＰＩＯ４５にはテロップの送出タイミング等を手動で制御するためのスイッチ等を備えたコンソール（制御卓）あるいはパネルが接続されている。フラッシュメモリコントローラ４７には、フラッシュメモリカード４８が着脱自在に接続され、ＬＡＮインターフェイス回路４９には例えばインターネット等の通信網に接続可能なＬＡＮ１５が接続されている。ミキサ３８は、音声入力信号とＤ／Ａ変換器４４から出力されるテロップ音声信号とを混合して合成された音声信号を出力する。
【００２１】
なお、実施例においては、映像信号合成回路としてＦＰＧＡおよび制御回路を用いる例を開示したが、ＦＰＧＡおよび制御回路の代わりに個別のハードウェアを組み合わせることによっても同様の機能を実現可能である。
【００２２】
図２は、本発明のテロップ送出装置を含むシステム全体の構成を示すブロック図である。本発明のテロップ送出装置１０は例えばＶＴＲやディスクプレーヤ等の映像記録装置１２あるいはテレビ受信機から映像信号を入力し、テロップと合成された映像信号をモニタ１１に出力する。テロップ送出装置１０はＬＡＮ１５を介して、クライアントＰＣ１８、ルータ１６と接続されており、ルータ１６はインターネット１７と接続されている。
【００２３】
インターネット１７には公知のメールサーバ１９、クライアントＰＣ１８および図示しない公知のニュースメール配送システム等が接続されている。システムの運用者はＬＡＮ１５あるいはインターネット１７を介してクライアントＰＣ１８から、運用、保守、機能の更新等が可能である。
【００２４】
図４は、本発明のテロップ送出装置のテロップ送出関連機能を示す機能ブロック図である。メール巡回受信機能７０は、予め設定されたメールサーバ１９に所定の周期でアクセスしてメールを受信する。メール振り分け機能７１はメールの送信元あるいは内容を解析してコマンドメール管理機能７２あるいはテロップデータ管理機能７３に振り分ける。
【００２５】
コマンドメール管理機能７２は、更にメールの内容を解析して、レイアウトファイル７４、スケジュールファイル７５、番組ファイル７６、素材ファイル７７のいずれであるかを判別し、それぞれの格納場所に保存する。テロップデータ管理機能７３は公知のニュース配信システムから受信した最新のニュースメールからニュース部分を取り出し、テロップファイル７８として上書き保存する。
【００２６】
スケジュールファイル７５は、番組の送出時刻を管理するための定義ファイルである。スケジュールファイル７５は複数あり、ファイル名が送出予定日を表している。ファイル名のフォーマットは YYYY_MM_DD_W.gls(Y:年で西暦４桁、M:月２桁、D:日２桁、W:曜日を表す数値で月:0〜日:6)となっている。各要素は"@"にする事で省略でき、省略された要素は常に該当する事になる。
例えば、"@_@_@_0.gls"は毎週日曜日に送出するスケジュールになり、"2006_10_@_@.gls"は2006年10月中は毎日送出されるスケジュールになる。上記ファイルが両方とも存在する様な場合、どちらを採用するかは、要素の省略が少ない方を優先する。この例の場合だと、2006年は9月30日になるまでは"@_@_@_0.gls"が採用されるが、10月中は"2006_10_@_@.gls"が採用され、"@_@_@_0.gls"は使われない。
例えば２０時０５分に番組名が「Sports」であるスポーツ番組のテロップを流し始め、２０時１５分まで繰り返す場合には、スケジュールファイル７５の内容は「#20:05-15:00_Sports」のようになる。スタンバイ時間が必要な場合には、スタンバイ時間フィールドを追加する。また、緊急報道等を通常スケジュール内に挿入した場合には、それ以降のスケジュールを繰り上げて（送出時間を遅らせて）放送する。
【００２７】
番組ファイル７６は、番組を構成する複数のレイアウトファイルの時間割当予定を管理するための定義ファイルである。番組ファイルのフォーマットは、分、秒をコロンで繋げたフォーマットである。例えば、番組開始から５秒後にレイアウトファイル「RoleNews」を実行し、１５秒後にレイアウトファイル「FadeSports」を実行する場合の番組ファイル７６は、「00:00:05_RoleNews」と、「00:00:15_FadeSports」の２つのレコードを順に並べたものとなる。
【００２８】
スケジュール管理機能７９は、スケジュールファイル７５および番組ファイル７６の内容を解析し、テロップ番組の送出時期になると、指定されたテロップ番組を送出するように番組送出エージェント８０に指示する。長期(基本)、週間、日間、割込みのスケジュールファイルを設定することにより、自動運転することが可能である。
【００２９】
番組送出エージェント８０は、テロップ生成にに必要なレイアウトファイル７４およびテロップファイル７８を読み込み、画面スクリプト８１を生成して、スクリプトエンジン８３にテロップ画面の生成を指示する。インタープリタであるスクリプトエンジン８３は、画面スクリプト８１、および必要に応じて画像データ等の素材ファイル７７を読み込み、メモリ上にテロップ画像信号を生成する。
【００３０】
ＮＴＳＣエンコーダドライバ８４は、生成されたテロップ画像信号を映像信号合成回路内のフレームバッファＦＩＦＯ３３の指定された領域に転送する。フレームバッファＦＩＦＯ３３から読み出されたテロップ画像信号は映像信号合成回路によって外部から入力される映像信号と合成されて出力される。ログ管理機能８５は、スケジュール管理機能７９やスクリプトエンジン８３からテロップ送出実行結果、エラー情報等のログ情報を収集し、所定の宛先にエラーメール、レポートメールを送信する。
【００３１】
図３は、本発明のテロップ送出装置の設定機能を示す機能ブロック図である。テロップ送出装置１０は、前記したテロップ送出関連機能の他、ＨＴＴＰサーバ機能６１、および各種設定ファイル６３の内容表示および変更が可能な情報表示／設定用ＣＧＩ（プログラム）６２を備えている。システムの運用者は、ＬＡＮ１５あるいはインターネット１７を介してクライアントＰＣ１８からＨＴＴＰサーバ機能６１にアクセスし、ＰＣ１８のブラウザ６０を使用して、通信網、メール、テロップ生成、スケジュールなどの各種設定ファイル６３の内容を表示させ、必要に応じて変更が可能である。
【００３２】
図５は、メール処理の内容を示すフローチャートである。この処理は、図４におけるメール巡回７０、メール振り分け７１、コマンドメール管理７２、テロップデータ管理７３の機能に相当する。Ｓ１０においては、前回の巡回から所定時間が経過したか否かが判定され、判定結果が否定の場合にはＳ１０に戻るが、肯定の場合にはＳ１１に移行する。
【００３３】
Ｓ１１においては、予め設定されているメールサーバにアクセスし、メールを読み込む。Ｓ１２においては、受信したメールの種別を解析する。Ｓ１３においては、メールの種別がニュースファイルか否かが判定され、判定結果が否定の場合にはＳ１５に移行するが、肯定の場合にはＳ１４に移行する。Ｓ１４においては、ニュースファイルを保存する。
【００３４】
Ｓ１５においては、メールの種別がレイアウトファイルか否かが判定され、判定結果が否定の場合にはＳ１７に移行するが、肯定の場合にはＳ１６に移行する。Ｓ１６においては、レイアウトファイルを保存する。Ｓ１７においては、メールの種別がスケジュールファイルか否かが判定され、判定結果が否定の場合にはＳ１９に移行するが、肯定の場合にはＳ１８に移行する。Ｓ１８においては、スケジュールファイルを保存する。
【００３５】
Ｓ１９においては、メールの種別が番組ファイルか否かが判定され、判定結果が否定の場合にはＳ２１に移行するが、肯定の場合にはＳ２０に移行する。Ｓ２０においては、番組ファイルを保存する。Ｓ２１においては、メールの種別が素材ファイルか否かが判定され、判定結果が否定の場合にはＳ１０に戻るが、肯定の場合にはＳ２２に移行する。Ｓ２２においては、素材ファイルを保存する。
【００３６】
図６は、スケジュール処理の内容を示すフローチャートである。この処理は、図４におけるスケジュール管理７９の機能に相当する。Ｓ３０においては、スケジュールデータをチェックする。Ｓ３１においては、テロップ番組の開始／終了時刻が到来したか否かが判定され、判定結果が否定の場合にはＳ３３に移行するが、肯定の場合にはＳ３２に移行する。Ｓ３２においては、スケジュールファイルにて指定された番組ファイルを送出中／終了に設定する。
【００３７】
Ｓ３３においては、送出中に設定されている番組ファイルの中のいずれかのテロップ（レイアウトファイル）の送出時刻が到来したか否かが判定され、判定結果が否定の場合にはＳ３０に移行するが、肯定の場合にはＳ３４に移行する。Ｓ３４においては、番組ファイル中の送出時刻の到来したテロップと対応するレイアウトファイルを取り出す。Ｓ３５においては、エージェントにレイアウトファイルにて指定されたテロップの送出を指示してＳ３０に戻る。
【００３８】
図７は、エージェント処理の内容を示すフローチャートである。この処理は、図４における番組送出エージェント８０の機能に相当する。Ｓ４０においては、表示指示を受信したか否かが判定され、判定結果が否定の場合にはＳ４０に戻るが、肯定の場合にはＳ４１に移行する。Ｓ４１においては、レイアウトファイルを解析する。Ｓ４２においては、レイアウトファイルにニュースの文章などの変数を代入して画面スクリプトを生成する。Ｓ４３においては、生成した画面スクリプトをスクリプトエンジンに渡して描画を指示する。Ｓ４４においては、処理が全て完了したか否かが判定され、判定結果が否定の場合にはＳ４１に移行するが、肯定の場合にはＳ４０に移行する。
【００３９】
図８は、スクリプトエンジン処理の内容を示すフローチャートである。Ｓ５０においては、描画指示を受信したか否かが判定され、判定結果が否定の場合にはＳ５０に戻るが、肯定の場合にはＳ５１に移行する。Ｓ５１においては、受信した画面スクリプトを解析する。Ｓ５２においては、画面スクリプトからコマンドを抽出する。
【００４０】
Ｓ５３においては、メモリ上に描画する。この時、ロール、タイピング、スライドイン/アウト、フェードイン/アウト、カット等の効果（エフェクト）を掛けることが可能である。なお、コマンドが音声ファイルの再生の場合には、ドライバに対して例えばテロップ出力と同期して音声ファイルを再生する指示を出す。Ｓ５４においては処理が全て完了したか否かが判定され、判定結果が否定の場合にはＳ５２に移行するが、肯定の場合にはＳ５５に移行する。Ｓ５５においては、ドライバにフレームバッファへ転送する指示を出す。
【００４１】
図９は、ドライバ処理の内容を示すフローチャートである。Ｓ６０においては、メモリ上の描画データをフレームバッファに転送する。Ｓ６１においては、エンジンに書き込み完了を報告する。
【００４２】
図１０は、本発明のテロップ生成装置による表示例とデータの内容を示す説明図である。図１０（ａ）はテロップの表示例を示しており、表示画面９０内に固定文字列「本日の天気」が表示された第１のテロップＴ１（９１）、雪の絵の画像が表示された第２のテロップＰ１（９２）、可変文字列「札幌，雪」が表示された第３のテロップＴ２（９３）が表示されている。
【００４３】
図１０（ｂ）は、ファイル名"XYZ.SCR"であるレイアウトファイルの内容例である。実際にはＸＭＬ形式のテキストデータである。Ｔ１はテロップＴ１（９１）を表示するための記載であり、「X="100",Y="50"」は表示位置、「TYPE=TEXT」は表示タイプ（文字）、「VALUE="本日の天気"」表示内容（文字列）、「FONT="……"」はフォントの種類を表している。
【００４４】
同様に、Ｐ１はテロップＰ１（９２）の画像の表示、Ｔ２はテロップＴ２（９３）の可変文字列の表示を表している。なお、レイアウトファイルにおいては、上記の他、文字や背景の色、背景画面の透過率、テロップの形状、音などを指定可能である。
【００４５】
番組送出エージェント８０は、テロップＴ２内の変数WXに天気予報用テロップファイルの内容である文字列の例えば「札幌,雪」を代入して、スクリプトエンジン８３にテロップを描画させる。その結果、図１０（ａ）の第３のテロップＴ２（９３）が表示される。
【００４６】
以上実施例を説明したが、本発明には以下のような変形例も考えられる。実施例においては、映像信号がＮＴＳＣである例を開示したが、映像信号の形式やアナログ／デジタルの別は任意である。実施例においては、インターネットを経由してメールによって各種データの転送を行う例を開示したが、データの転送には公知の任意の通信網、通信回線、記録媒体、およびプロトコルを採用可能である。
【図面の簡単な説明】
【００４７】
【図１】本発明のテロップ送出装置の構成を示すブロック図である。
【図２】本発明のテロップ送出装置を含むシステム全体の構成を示すブロック図である。
【図３】本発明のテロップ送出装置の設定機能を示す機能ブロック図である。
【図４】本発明のテロップ送出装置のテロップ送出関連機能を示す機能ブロック図である。
【図５】メール処理の内容を示すフローチャートである。
【図６】スケジュール処理の内容を示すフローチャートである。
【図７】エージェント処理の内容を示すフローチャートである。
【図８】スクリプトエンジン処理の内容を示すフローチャートである。
【図９】ドライバ処理の内容を示すフローチャートである。
【図１０】本発明のテロップ生成装置による表示例とデータの内容を示す説明図である。
【符号の説明】
【００４８】
１０…テロップ送出装置
１１…モニタ
１２…映像記録装置
１５…ＬＡＮ
１６…ルータ
１７…インターネット
１８…クライアントＰＣ
１９…メールサーバ
【図１】
2008085453.tif 000003
【図２】
2008085453.tif 000004
【図３】
2008085453.tif 000005
【図４】
2008085453.tif 000006
【図５】
2008085453.tif 000007
【図６】
2008085453.tif 000008
【図７】
2008085453.tif 000009
【図８】
2008085453.tif 000010
【図９】
2008085453.tif 000011
【図１０】
2008085453.tif 000012